(57)【要約】      （修正有）【課題】出し入れが容易になるマットレスを提供する。【解決手段】マットレスは、マットレス本体１と、マットレス本体１の一辺に設けられた収納袋２とを含む。収納袋２は、対向して設けられる第１袋体及び第２袋体を含み、第１袋体及び第２袋体は一体成形される。収納袋２の両辺に位置する縫い目ストリップは、いずれにも補強ストリップ２５が包まれており、残りの一辺は、マットレス本体１の縁部に縫合される。補強ストリップ２５の素材は布であり、オーバーロック縫製方法で縫い目ストリップに縫い付けられ、それにより、第１袋体及び第２袋体の連結箇所を補強する効果を発揮し、収納袋２の強度や耐用年数を向上させる。【選択図】図１
0003235179.tif 000002
【実用新案登録請求の範囲】
【請求項１】
マットレス本体（１）と、一方の縁部がマットレス本体（１）に固定された収納袋（２）とを含む、ことを特徴とするマットレス。
【請求項２】
収納袋（２）は、対向して設けられる第１袋体（２１）及び第２袋体（２２）を含み、第１袋体（２１）の縁部と第２袋体（２２）の縁部とを縫合し、そして、第１袋体（２１）及び第２袋体（２２）の縁部に縫い目ストリップが形成され、前記縫い目ストリップは収納袋（２）の外側に位置し、
前記縫い目ストリップには補強ストリップ（２５）が包まれ、補強ストリップ（２５）は収納袋（２）に固定される、ことを特徴とする請求項１に記載のマットレス。
【請求項３】
収納袋（２）の袋口は、第１袋体（２１）又は第２袋体（２２）に開けられ、収納袋（２）の袋口の両側には、第１収納部（２３）及び第２収納部（２４）がそれぞれ形成されている、ことを特徴とする請求項２に記載のマットレス。
【請求項４】
収納袋（２）の袋口には、袋口を閉じるためのロック部材（２６）が設けられ、ロック部材（２６）は収納袋（２）に固定され、ロック部材（２６）は収納袋（２）の外側に位置する、ことを特徴とする請求項１に記載のマットレス。
【請求項５】
収納袋（２）の内部には、固定ベルト（２７）が設けられ、そして、固定ベルト（２７）の両端は、いずれも収納袋（２）に固定される、ことを特徴とする請求項１に記載のマットレス。
【請求項６】
収納袋（２）には、収納袋（２）の一方側に設けられた第１連結部材（３１）及び収納袋（２）の他方側に設けられた第２連結部材（３２）を含む第１連結コンポーネント（３）が設けられ、第２連結部材（３２）は、第１連結部材（３１）との連結のために用いられ、第１連結部材（３１）又は第２連結部材（３２）が位置する収納袋（２）の縁部は、マットレス本体（１）に固定される、ことを特徴とする請求項１に記載のマットレス。
【請求項７】
第１連結コンポーネント（３）をスナップボタンとして設ける、ことを特徴とする請求項６に記載のマットレス。
【請求項８】
収納袋（２）の縁部には、それぞれ収納袋（２）の対向する両辺に位置する第２連結コンポーネント（４）及び第３連結コンポーネント（５）がさらに設けられ、そして、第２連結コンポーネント（４）又は第３連結コンポーネント（５）が位置する収納袋（２）の縁部と、第１連結部材（３１）が位置する縁部とは隣接する、ことを特徴とする請求項６に記載のマットレス。
【請求項９】
収納袋（２）には第１固定部材（６）が設けられ、収納袋（２）又はマットレスには第２固定部材（７）が設けられ、収納袋（２）を巻き上げた場合、第１固定部材（６）が第２固定部材（７）に連結される、ことを特徴とする請求項１に記載のマットレス。
【考案の詳細な説明】
【技術分野】
【０００１】
本願は、家庭用品の分野に関し、特にマットレスに関する。
【背景技術】
【０００２】
現在、マットレスは、通常、洗濯する前に積み重ねられていて、スペースを取るだけでなく、マットレスが２次的に汚れやすく、そして、マットレスの洗濯が完了した後、適時にマットレスを収納することができないと、マットレスを再び汚れ、マットレスの使用に不便がある。
【考案の概要】
【考案が解決しようとする課題】
【０００３】
本願は、収納し易く、使い易いという利点を有するマットレスを提供する。
【課題を解決するための手段】
【０００４】
本願は、以下のような技術的解決手段を採用するマットレスを提供する。
【０００５】
マットレス本体と、一方の縁部がマットレス本体に固定された収納袋とを含むマットレスである。
【０００６】
上記の技術的解決手段を採用することにより、洗濯前又は洗濯後に、マットレスを直接折り畳んで収納袋に収納することができ、マットレス全体の体積が小さいく、取るスペースも小さいため、マットレスの出し入れが容易になる。
【０００７】
前記収納袋は、対向して設けられる第１袋体及び第２袋体を含み、前記第１袋体の縁部と第２袋体の縁部とを縫合し、そして、第１袋体及び第２袋体の縁部に縫い目ストリップが形成され、前記縫い目ストリップは収納袋の外側に位置し、
前記縫い目ストリップには補強ストリップが包まれ、そして、前記補強ストリップは収納袋に固定される。
【０００８】
上記の技術的解決手段を採用することにより、縫い目ストリップ及び補強ストリップが両方とも収納袋の外側に位置するため、マットレスを収納袋に収納するとき、収納袋を内外反転してマットレス本体に被せる必要があり、このとき、縫い目ストリップ及び補強ストリップは収納袋の内側に位置するため、マットレスを使いやすくなり、見栄えが向上する。
【０００９】
好ましくは、前記収納袋の袋口は、第１袋体又は第２袋体に開けられ、前記収納袋の袋口の両側には、第１収納部及び第２収納部がそれぞれ形成されている。
【００１０】
上記の技術的解決手段を採用することにより、マットレスが収納袋に収納された後、第１収納部及び第２収納部でマットレス的の両側をそれぞれ固定することができることにより、マットレスが収納袋から落ち難く、収納袋を使いやすくなる。
【００１１】
好ましくは、前記収納袋の袋口には、袋口を閉じるためのロック部材が設けられ、前記ロック部材は収納袋に固定され、前記ロック部材は収納袋の内部に位置する。
【００１２】
上記の技術的解決手段を採用することにより、ロック部材として、ジッパー又はスナップボタンを選択できるため、マットレスが収納袋から落ちることを効果的に防止することができ、収納袋を使いやすくなる。
【００１３】
好ましくは、前記収納袋の内部には、固定ベルトが設けられ、そして、前記固定ベルトの両端は、いずれも収納袋に固定される。
【００１４】
上記の技術的解決手段を採用することにより、作業者が固定ベルトを手持ちすることができ、それによりマットレスを持ち運びやすくなる。
【００１５】
好ましくは、前記収納袋には、収納袋の一方側に設けられた第１連結部材及び収納袋の他方側に設けられた第２連結部材を含む第１連結コンポーネントが設けられ、前記第２連結部材は、第１連結部材との連結のために用いられ、前記第１連結部材又は第２連結部材が位置する収納袋の縁部は、マットレス本体に固定される。
【００１６】
上記の技術的解決手段を採用することにより、作業者が収納袋を中割折りすることができ、折り畳んだ収納袋の縁部を固定することにより、収納袋が物置袋になり、物置袋に雑誌やリモコンなどの物を置くことができる。
【００１７】
好ましくは、前記第１連結コンポーネントをスナップボタンとして設ける。
【００１８】
上記の技術的解決手段を採用することにより、スナップボタンの設置は、第１連結コンポーネントの操作の利便性を効果的に確保することができ、使用者が使いやすくなる。
【００１９】
好ましくは、前記収納袋の縁部には、それぞれ収納袋の対向する両辺に位置する第２連結コンポーネント及び第３連結コンポーネントがさらに設けられ、そして、前記第２連結コンポーネント又は第３連結コンポーネントが位置する収納袋の縁部と、第１連結部材が位置する縁部とは隣接する。
【００２０】
上記の技術的解決手段を採用することにより、第２連結コンポーネント及び第３連結コンポーネントは、物置袋の両側をそれぞれ封じることができるため、物置袋内の物が落ち難くなる。
【００２１】
好ましくは、前記収納袋には第１固定部材が設けられ、前記収納袋又はマットレスには第２固定部材が設けられ、前記収納袋を巻き上げた場合、前記第１固定部材が第２固定部材に連結される。
【００２２】
上記の技術的解決手段を採用することにより、収納袋を巻き上げることができ、そして、第１固定部材と第２固定部材とを固定することにより、収納袋はマットレス本体の正常な使用に対して影響を与え難くなる。
【考案の効果】
【００２３】
要約すると、本願は、少なくとも１つの以下の技術的効果を含む。
【００２４】
１．洗濯前又は洗濯後に、マットレスを直接折り畳んで収納袋に収納することができ、マットレス全体の体積が小さいく、取るスペースも小さいため、マットレスの出し入れと使用が容易になる。
【００２５】
２．作業者が収納袋を中割折りすることができ、折り畳んだ収納袋の縁部を固定することにより、収納袋が物置袋になり、物置袋には雑誌やリモコンなどの物を置くことができ、使い易い。
【００２６】
３．使用者は、収納袋をマットレス本体の縁部まで巻き上げることができ、収納ベルトのマットレス本体の使用に対する影響を低減して、マットレスの使用の快適性を向上させる。
【図面の簡単な説明】
【００２７】
【図１】本願の実施例１におけるマットレスの概略構造図である。
【図２】本願の実施例１における収納袋の概略構造図である。
【図３】本願の実施例１におけるマットレスが収納袋に収納された後の概略図である。
【図４】本願の実施例２における収納袋が展開された後の概略構造図である。
【図５】本願の実施例２における収納袋が折り畳まれた後の概略構造図である。
【図６】本願の実施例３における収納袋を巻き上げた後の概略構造図である。
【図７】本願の実施例３における第１固定部材及び第２固定部材をスナップボタンとして設けた概略構造図である。
【考案を実施するための形態】
【００２８】
以下、図１〜７を参照しながら、本願をさらに詳細に説明する。
【００２９】
実施例１
本願の実施例では、マットレスを開示した。図１を参照すると、マットレスは、マットレス本体１と、マットレス本体１の一辺に設けられた収納袋２とを含む。
【００３０】
図１及び図２を参照すると、収納袋２は、対向して設けられる第１袋体２１及び第２袋体２２を含み、第１袋体２１及び第２袋体２２は一体成形される。そして、本願の実施例では、第１袋体２１及び第２袋体２２の素材としてメッシュ布を使用したが、他の通気性のよい布を使用してもよい。１枚の布を中割折りした後、布の折り線の両側がそれぞれ第１袋体２１及び第２袋体２２である。第１袋体２１及び第２袋体２２の対向する縁部は、縫合される形で連結される。第１袋体２１と第２袋体２２とを直接縫い付けるため、第１袋体２１と第２袋体２２との連結箇所に縫い目ストリップが形成される。
【００３１】
図１を参照すると、収納袋２の両辺に位置する縫い目ストリップは、いずれにも補強ストリップ２５が包まれており、残りの一辺は、マットレス本体１の縁部に縫合される。補強ストリップ２５の素材は布であり、オーバーロック縫製方法で縫い目ストリップに縫い付けられ、それにより、第１袋体２１及び第２袋体２２の連結箇所を補強する効果を発揮し、収納袋２の強度や耐用年数を向上させる。
【００３２】
図１及び図２を参照すると、収納袋２の一辺がマットレス本体１の一辺に縫合され、そして、縫合時に、縫い目ストリップが収納袋２の外側に位置するようにする。したがって、マットレス本体１を収納する必要がある場合、まず、マットレス本体１を折り畳み、続いて収納袋２をマットレス本体１に逆向きに被せると、マットレス本体１の収納作業が完了し、このとき、縫い目ストリップは収納袋２の内側に位置し、収納袋２の見栄えを効果的に向上させる。
【００３３】
図２及び図３を参照すると、収納袋２の袋口は、第１袋体２１に開けられたが、第２袋体２２に開けられてもよい。収納袋２の袋口の両側には、第１収納部２３及び第２収納部２４がそれぞれ形成され、マットレス本体１が収納袋２の中に収納されると、第１収納部２３及び第２収納部２４は、マットレス本体１を包んで固定することができるため、マットレス本体１が収納袋２から落ち難くなる。
【００３４】
図２及び図３を参照すると、収納袋２の袋口には、袋口を閉じるためのロック部材２６が設けられ、本願の実施例では、ロック部材２６としてジッパーを使用する。本願の実施例の他の実施形態として、ロック部材２６を、ボタン、スナップボタン又はベルクロ（登録商標）などとして設けてもよい。ジッパーの両辺はそれぞれ収納袋２の袋口の両側に位置し、そして、いずれも収納袋２に固定される。マットレス本体１が展開状態である場合、ジッパーのスライダーは収納袋２の内部に位置し、マットレス本体１が収納袋２の中に収入された場合、ジッパーのスライダーは収納袋２の外側に位置して、使用者がジッパーを操作しやすくなる。
【００３５】
図３を参照すると、収納袋２には、固定ベルト２７がさらに設けられ、そして、固定ベルト２７の両端はいずれも収納袋２の縁部に固定されている。マットレス本体１が収納袋２の中に収納されず、展開状態である場合、固定ベルト２７は収納袋２の内部に位置する。マットレス本体１が収納袋２の中に収納された場合、固定ベルト２７は収納袋２の外部に位置し、そして、固定ベルト２７は、使用者が容易に持ち運ぶためのキャリーハンドルを形成する。
【００３６】
本願の実施例におけるマットレスの実施原理は、次のようである。マットレス本体１が展開状態であって、マットレス本体１を収納する必要がある場合、まず、マットレス本体１を収納袋２のサイズに合わせた形状に折り畳む必要がある。続いて、収納袋２を内外反転すると同時に、マットレス本体１を収納袋２の中に入れる。最後に、収納袋２の袋口をロックすればよい。
【００３７】
実施例２
本願の実施例はマットレスを開示し、実施例１との異なる点は、第１連結コンポーネント３、第２連結コンポーネント４及び第３連結コンポーネント５が追加されたことである。
【００３８】
図４を参照すると、第１連結コンポーネント３は、２つの第１連結部材３１及び２つの第２連結部材３２を含む。本願の実施例では、第１連結コンポーネント３をスナップボタンとして設け、第１連結部材３１は雄ボタンであり、第２連結部材３２は雌ボタンである。本願の実施例の他の実施形態として、第１連結コンポーネント３をボタン、ベルクロ（登録商標）などとして設けてもよい。
【００３９】
図４及び図５を参照すると、２つの第１連結部材３１は、いずれも収納袋２のマットレス本体１に縫合される一方側に設けられ、２つの第２連結部材３２は、いずれも収納袋２の他方側に設けられる。２つの第１連結部材３１は、それぞれ収納袋２の縁部の両端に位置する。２つの第２連結部材３２は、同様に、それぞれ収納袋２の縁部の両端に設けられる。したがって、収納袋２を中割折りした後、第１連結部材３１と第２連結部材３２とを連結すると、収納袋２が折り畳まれて物置袋になることができ、そして、収納袋２とマットレス本体１とが連結された側に物置袋の袋口が形成されて、雑誌やリモコンなどの物を置きやすくなる。
【００４０】
図４を参照すると、第２連結コンポーネント４、第３連結コンポーネント５を、同様に、スナップボタンとして設ける。第２連結コンポーネント４及び第３連結コンポーネント５は、それぞれ収納袋２の対向する両辺に位置し、そして、第２連結コンポーネント４又は第３連結コンポーネント５が位置する収納袋２の縁部と、第１連結コンポーネント３が位置する縁部とは隣接する。第２連結コンポーネント４の雄ボタンと雌ボタンは、それぞれ収納袋２の折り目の両側に位置し、第３連結コンポーネント５の雄ボタンと雌ボタンも、同様に、それぞれ収納袋２の折り目の両側に位置する。
【００４１】
したがって、収納袋２が折り畳まれて物置袋になった場合、第２連結コンポーネント４の雄ボタンと雌ボタンが互いに連結され、第３連結コンポーネント５の雄ボタンと雌ボタンが互いに連結されることにより、物置袋の両側が閉じられ、物置袋の中の物が落ち難くなる。
【００４２】
本願の実施例におけるマットレスの実施原理は、次のようである。マットレスを敷いて使用する場合、収納袋２をベッドの横に置き、収納袋２を中割折りして、第１連結部材３１と第２連結部材３２とを連結し、続いて第２連結コンポーネント４と第３連結コンポーネント５とを固定して、物置袋の両側を閉じると、収納袋２が物置袋になる。
【００４３】
実施例３
本願の実施例はマットレスを開示し、実施例１との異なる点は、２つの第１固定部材６及び２つの第２固定部材７が追加されたことである。
【００４４】
図６を参照すると、本願の実施例では、第１固定部材６を布ベルトとして設け、布ベルトが固定環を形成するように、布ベルトの両端はいずれも収納袋２に縫い付けられ、布ベルトの中間部は浮いた状態である。２つの布ベルトは、収納袋２の縁部の長手方向に沿って分布する。
【００４５】
図６を参照すると、２つの第２固定部材７を、いずれもボタンとして設けるとともに、収納袋２に縫い付け、２つのボタンの分布方向は、２つの布ベルトの分布方向と同じであり、そして、２つのボタンと２つの布ベルトとは１対１に対応する。使用者は、巻き上げた後の収納袋２の外側にボタンが位置するように、収納袋２を巻き上げることができ、続いて、布ベルトをボタンに嵌めると、巻き上げた収納袋２の固定が完了する。
【００４６】
図７を参照すると、本願の実施例の他の実施形態として、第１固定部材６及び第２固定部材７を、ベルクロ（登録商標）又はスナップボタンとして設けてもよい。
【００４７】
本願の実施例におけるマットレスの実施原理は、次のようである。マットレス本体１を敷いて使用する場合、収納袋２のマットレスの快適性に与える影響を低減するために、収納袋２を収納袋２とマットレス本体１とが連結する側に巻き上げて、第２固定部材７（ボタン）を第１固定部材６（布ベルト）に固定すると、収納袋２の巻き上げと収納が完了する。
【００４８】
以上は、いずれも本願の好適な実施例であるが、本願の保護範囲を制限するものではないため、本願の構造、形状、原理にしたがって行われた等価変更は、いずれも本願の保護範囲内に含まれるべきである。
【符号の説明】
【００４９】
１...マットレス本体、２...収納袋、２１...第１袋体、２２...第２袋体、２３...第１収納部、２４...第２収納部、２５...補強ストリップ、２６...ロック部材、２７...固定ベルト、３...第１連結コンポーネント、３１...第１連結部材、３２...第２連結部材、４...第２連結コンポーネント、５...第３連結コンポーネント、６...第１固定部材、７...第２固定部材。
【図１】
0003235179.tif 000003
【図２】
0003235179.tif 000004
【図３】
0003235179.tif 000005
【図４】
0003235179.tif 000006
【図５】
0003235179.tif 000007
【図６】
0003235179.tif 000008
【図７】
0003235179.tif 000009